(57)【特許請求の範囲】
【請求項１】
通路の壁面と、
一端部が前記壁面に対して回動可能に設けられた棚板と、
前記棚板の両側面にそれぞれが着脱可能に結合され、且つ、前記壁面に対して回動可能に設けられた両側板と
を備え、
前記棚板および前記両側板を折りたたんだ際に、前記棚板および前記両側板が前記壁面に平行に当接または近接していることを特徴とする折りたたみ式壁面収納部を有する住宅の通路構造。
【請求項２】
請求項１に記載の折りたたみ式壁面収納部を有する住宅の通路構造において、
前記棚板は前記壁面の上下方向に複数設けられ、前記棚板の上面または下面を前記壁面に平行に当接または近接させるために、前記複数の棚板の端部は前記複数の棚板が折りたたまれた状態で互いに離れていることを特徴とする折りたたみ式壁面収納部を有する住宅の通路構造。
【請求項３】
請求項１または２に記載の折りたたみ式壁面収納部を有する住宅の通路構造において、
前記壁面に固定された背面板を更に備え、
前記棚板は前記背面板に蝶着されている
ことを特徴とする折りたたみ式壁面収納部を有する住宅の通路構造。
【請求項４】
請求項１から３のいずれか一項に記載の折りたたみ式壁面収納部を有する住宅の通路構造において、
前記棚板の前記両側面を挟むように、前記壁面から前記棚板の厚み以上に突出し、且つ、前記壁面の上下方向に延びた両側縁部を更に備え、
前記両側板はそれぞれ前記両側縁部に蝶着されている
ことを特徴とする折りたたみ式壁面収納部を有する住宅の通路構造。
【請求項５】
請求項１から４のいずれか一項に記載の折りたたみ式壁面収納部を有する住宅の通路構造において、
前記側板が上下に２以上に分割されていることを特徴とする折りたたみ式壁面収納部を有する住宅の通路構造。
【請求項６】
請求項１から５のいずれか一項に記載の折りたたみ式壁面収納部を有する住宅の通路構造において、
前記棚板の自由端側に前記壁面と平行な手摺部が設けられていることを特徴とする折りたたみ式壁面収納部を有する住宅の通路構造。
【発明の詳細な説明】
【技術分野】
【０００１】
本発明は、住宅の通路構造に関し、特に、通路の壁面に設置される折りたたみ式壁面収納部を有する住宅の通路構造に関する。
【背景技術】
【０００２】
従来、折り畳んだ状態で搬入が可能であり、少ない作業工数で正確かつ迅速に組み立てることができるようにするための構造を有する組み立て式収納家具が提案されている（例えば、特許文献１参照）。
【先行技術文献】
【特許文献】
【０００３】
【特許文献１】特開平５−３１００９号公報
【発明の概要】
【発明が解決しようとする課題】
【０００４】
ところで、車椅子等を必要とする要介護者がいる世帯の住宅購入者は、バリアフリーの観点に加えて、広い廊下の間取りを求める傾向がある。また、要介護者が現在いない世帯の住宅購入者であっても将来の生活を見越して、車椅子等が通行容易な廊下幅を求めることが少なくない。しかしながら、一般的な廊下幅は８０〜９０ｃｍ程度である。通常、居室面積を優先したり、廊下幅の変更が構造上不可能な場合も多かったりするため、これ以上幅広い廊下が作られることはまれである。
【０００５】
また、大型の車椅子の使用者が住宅を選ぶ際に、希望する廊下幅よりも狭い廊下幅等の移動経路の存在によって、購入する住宅の選択枝を減少させていることも考えられる。大型の車椅子の使用者でも使いやすい廊下幅等の移動経路を確保可能にする一方で、健常者のみが居住する場合に不必要に広いと感じると思われる廊下幅の一部を収納等のスペースに簡易かつ有効に利用することが望まれる。
【０００６】
本発明は、廊下幅等の移動経路を確保可能にする一方で、廊下幅の一部を収納等のスペースに簡易かつ有効に利用することができる住宅の通路構造を提供することを課題とする。
【課題を解決するための手段】
【０００７】
上記課題を解決するために、請求項１に記載の発明は、例えば、図１〜図１３に示すように、折りたたみ式壁面収納部１００（１００ａ，１００ｂ，１００ｃ，１００ｄ）を有する住宅の通路構造８０（８０ａ．８０ｂ）において、
通路の壁面１と、
一端部が前記壁面１に対して回動可能に設けられた棚板３と、
前記棚板３の両側面にそれぞれが着脱可能に結合され、且つ、前記壁面１に対して回動可能に設けられた両側板５と
を備え、
前記棚板３および前記両側板５を折りたたんだ際に、前記棚板３および前記両側板５が前記壁面１に平行に当接または近接していることを特徴とする。
【０００８】
請求項１に記載の発明によれば、前記棚板３および前記両側板５を折りたたんだ状態で、廊下幅等の移動経路を確保可能にすることができる。その一方で、前記棚板３および前記両側板５を展開した状態で、廊下幅の一部を収納スペースとして有効に利用することが
できる。
【０００９】
請求項２に記載の発明は、例えば、図７〜図１０に示すように、請求項１に記載の折りたたみ式壁面収納部１００（１００ａ，１００ｂ，１００ｃ，１００ｄ）を有する住宅の通路構造８０（８０ａ．８０ｂ）において、
前記棚板３は前記壁面１の上下方向に複数設けられ、前記棚板３の上面または下面を前記壁面１に平行に当接または近接させるために、前記複数の棚板３の端部は前記複数の棚板３が折りたたまれた状態で互いに離れていることを特徴とする。
【００１０】
請求項２に記載の発明によれば、棚板３を複数設けることで、使用者の要望に応じて使用する棚板３の数を増減することにより収納スペースの高さを変えたり、収納箇所を増減したりすることができる。
また、棚板３を回動し折りたたんだ際に、複数の棚板３の端部が互いに離れて棚板３が壁面１に平行に当接または近接している状態にすることが可能なため、棚３を収納するスペースを別途用意する必要がなく、且つ、折りたたみ収納部１００（１００ａ，１００ｂ，１００ｃ，１００ｄ）を折りたたんだ際に広い通路幅を確保することができるという効果がある。
【００１１】
請求項３に記載の発明は、例えば、図２に示すように、請求項１または２に記載の折りたたみ式壁面収納部１００（１００ａ，１００ｂ，１００ｃ，１００ｄ）を有する住宅の通路構造８０（８０ａ．８０ｂ）において、
前記壁面１に固定された背面板７を更に備え、
前記棚板３は前記背面板７に蝶着されていることを特徴とする。
【００１２】
請求項３に記載の発明によれば、搬入前に背面板７に複数の棚板３を予め取り付けることが可能となるため、搬入後に少ない作業工数で折りたたみ式壁面収納部を有する住宅の通路構造を設けることができる。
【００１３】
請求項４に記載の発明は、例えば、図２〜図６に示すように、請求項１から３のいずれか一項に記載の折りたたみ式壁面収納部１００（１００ａ，１００ｂ，１００ｃ，１００ｄ）を有する住宅の通路構造８０（８０ａ．８０ｂ）において、
前記棚板３の前記両側面を挟むように、前記壁面１から前記棚板３の厚み以上に突出し、且つ、前記壁面１の上下方向に延びた両側縁部９を更に備え、
前記両側板５はそれぞれ前記両側縁部９に蝶着されていることを特徴とする。
【００１４】
請求項４に記載の発明によれば、棚板３および前記両側板５を折りたたんだ際に、棚板３の側面が両側縁部９により隠れるため、棚板３の側面を見せずに綺麗に収納することができる。
【００１５】
請求項５に記載の発明は、例えば、図１２〜図１５に示すように、請求項１から４のいずれか一項に記載の折りたたみ式壁面収納部１００（１００ａ，１００ｂ，１００ｃ，１００ｄ）を有する住宅の通路構造８０（８０ａ．８０ｂ）において、
前記側板５が上下に２以上に分割されていることを特徴とする。
【００１６】
請求項５に記載の発明によれば、例えば、図１２〜図１５に示すように、上側の側板５ａと下側の側板５ｂとを任意に展開して使用することができるため、使用者の要望に応じて収納箇所を増減し、多彩なレイアウトにすることができる。
【００１７】
請求項６に記載の発明は、例えば、図１〜図９に示すように、請求項１から５のいずれか一項に記載の折りたたみ式壁面収納部１００（１００ａ，１００ｂ，１００ｃ，１００
ｄ）を有する住宅の通路構造８０（８０ａ，８０ｂ）において、
前記棚板３の自由端側に前記壁面１と平行な手摺部１１が設けられていることを特徴とする。
【００１８】
請求項６に記載の発明によれば、棚板３の自由端側に手摺部１１を設けることで、歩行困難者が棚板３を手摺として使用できる。
【発明の効果】
【００１９】
本発明によれば、前記棚板および前記両側板を折りたたんだ状態で、廊下幅等の移動経路を確保可能にすることができ、その一方で、廊下幅の一部を収納スペースとして有効に利用することができる。
【図面の簡単な説明】
【００２０】
【図１】本実施の形態を示すものであり、住宅の通路構造の設置状態を示す住宅の間取り図である
【図２】折りたたみ式壁面収納部の折りたたみされた状態の平面図である。
【図３】折りたたみ式壁面収納部の折りたたみされた状態の正面図である。
【図４】折りたたみ式壁面収納部の折りたたみされた状態の側面図である。
【図５】折りたたみ式壁面収納部の折りたたみされた状態の棚板の収納状態を示す側面図である。
【図６】折りたたみ式壁面収納部の展開時の平面図である。
【図７】折りたたみ式壁面収納部の展開時の正面図である。
【図８】折りたたみ式壁面収納部の展開時の側面図である。
【図９】折りたたみ式壁面収納部の展開時の棚板の状態を示す側面図である。
【図１０】折りたたみ式壁面収納部の折りたたみされた状態の各部の具体的な構造を示す側面図である。
【図１１】折りたたみ式壁面収納部の折りたたみされた状態を示す斜視図である。
【図１２】折りたたみ式壁面収納部の下部を展開した状態を示す斜視図である。
【図１３】折りたたみ式壁面収納部の上部および下部を展開した状態を示す斜視図である。
【図１４】（ａ）は折りたたみ式壁面収納部の左側を展開し、右側を折りたたんだ状態を示す平面図であり、（ｂ）はその正面図であり、（ｃ）は展開された折りたたみ式壁面収納部の右側面図であり、（ｄ）は折りたたまれた状態の折りたたみ式壁面収納部の右側面図である。
【図１５】（ａ）は壁面に埋め込まれて設置された折りたたみ式壁面収納部の左側を展開し、右側を折りたたんだ状態を示す平面図であり、（ｂ）はその正面図であり、（ｃ）は展開された折りたたみ式壁面収納部の右側面図であり、（ｄ）は折りたたまれた状態の折りたたみ式壁面収納部の右側面図である。
【発明を実施するための形態】
【００２１】
以下、図面を参照して本発明の実施の形態について説明する。
【００２２】
＜実施の形態＞
図１は本実施の形態を示すものであり、折りたたみ式壁面収納部１００（１００ａ，１００ｂ，１００ｃ，１００ｄ）が通路の壁面に設置された状態を示す住宅の間取り図である。
【００２３】
図１において、符号２０は玄関を示し、符号３０はリビングを示し、符号４０はダイニングキッチンを示し、符号５０はトイレスペースを示し、符号６０は洗面スペースを示し、符号７０は浴室スペースを示す。通路は、図１の上側において、トイレスペース５０の
壁面および扉とこの壁面等に対向する壁面１とで挟まれた空間と、洗面スペース６０の壁面および扉とこの壁面等に対向する壁面１とで挟まれた空間と、浴室スペース７０の壁面とこの壁面に対向する壁面１とで挟まれた空間であり、また、図１の右側において、廊下壁面で挟まれた空間、または、ホールの壁面とリビングの扉で挟まれた空間である。図１において、通路は、リビング３０の壁および扉の外側に沿って存在する壁面等に挟まれた空間であると言い換えることもできる。
【００２４】
符号１は、廊下または玄関ホール等の通路の壁面を示す。符号３は、一端部が前記壁面１に対して回動可能に設けられた棚板３を示す。符号５は、前記棚板３の両側面にそれぞれが着脱可能に結合され、且つ、前記壁面１に対して回動可能に設けられた両側板５である。 
【００２５】
１．折りたたみ時の状態
図２は壁面１に設置された折りたたみ式壁面収納部の折りたたみされた状態の平面図であり、図３は折りたたみされた状態の正面図であり、図４は折りたたみされた状態の側面図であり、図５は折りたたみされた状態の棚板３の収納状態を示す側面図である。
【００２６】
（１）図２において、折りたたみ式壁面収納部１００は、通路の壁面１と、一端部が前記壁面１に対して回動可能に設けられた棚板３と、前記棚板３の両側面にそれぞれが着脱可能に結合され、且つ、前記壁面１に対して回動可能に設けられた両側板５とを備え、前記棚板３および前記両側板５を折りたたんだ際に、前記棚板３および前記両側板５が前記壁面１に平行に当接または近接している。ここで、折りたたみ式壁面収納部１００は、折りたたみ式壁面収納部収納部の最小単位である。なお、図２に示す折りたたみ式壁面収納部１００を１列としたとき、図１における折りたたみ式壁面収納部１００ａ，１００ｂ，１００ｃは、６列、３列、２列の折りたたみ式壁面収納部１００がそれぞれ設置されている例を示している。
この構造により、前記棚板３および前記両側板５を折りたたんだ状態で、大型の車椅子の使用者でも使いやすい廊下幅等の移動経路を確保可能にすることができる。その一方で、健常者のみが居住する場合に不必要に広いと感じると思われる廊下幅の一部を収納スペースとして有効に利用することができる。
【００２７】
（２）そして、更に、図５に示すように、前記棚板３は前記壁面１の上下方向に複数設けられ、前記棚板３の上面を前記壁面１に平行に当接または近接させるために、前記複数の棚板３の端部は前記複数の棚板３が折りたたまれた状態で互いに離れている。図５では、前記棚板３の自由端が上方に移動するよう回動して、前記棚板３の上面が前記壁面１に平行に当接または近接しているが、前記棚板３の下面が前記壁面１に平行に当接または近接するように構成してもよい。
この構造により、棚板３を複数設けることで、使用者の要望に応じて使用する棚板３の数を増減することにより収納スペースの高さを変えたり、収納箇所を増減したりすることができる。また、棚板３を回動して折りたたんだ際に、複数の棚板３の端部が互いに離れて棚板３が壁面に平行に当接または近接している状態にすることが可能なため、棚３を収納するスペースを別途用意する必要がなく、且つ、折りたたみ収納部１００（１００ａ，１００ｂ，１００ｃ，１００ｄ）を折りたたんだ際に広い通路幅を確保することができるという効果がある。
【００２８】
（３）そして、更に、図２、図５、図６に示すように、前記壁面１に固定された背面板７を更に備え、前記棚板３は前記背面板７に蝶着されている。
この構造により、搬入前に背面板７に複数の棚板３を予め取り付けることが可能となるため、搬入後に少ない作業工数で折りたたみ式壁面収納部を有する住宅の通路構造を設けることができる。
【００２９】
（４）そして、更に、図２〜図６に示すように、前記棚板３の前記両側面を挟むように、前記壁面１から前記棚板３の厚み以上に突出し、且つ、前記壁面１の上下方向に延びた両側縁部９を更に備え、前記両側板５はそれぞれ前記両側縁部９に蝶着されている。
この構造により、棚板３および前記両側板５を折りたたんだ際に、棚板３の側面が両側縁部９により隠れるため、棚板３の側面を見せずに綺麗に収納することができる。
【００３０】
（５）そして、更に、図３、図４、図５に示すように、前記側板５が上下２つに分割されている。
この構造により、上側の側板５ａと下側の側板５ｂとを任意に展開して使用することができるため、使用者の要望に応じて収納箇所を増減し、多彩なレイアウトにすることができる。
なお、使用者の要望に応じて前記側板５を上下３以上に分割してもよい。また、前記側板５を分割しないで、一枚で構成するようにしてもよい。 
【００３１】
２．展開時の状態
図６は壁面に設置された折りたたみ式壁面収納部の展開時の平面図であり、図７は展開時の正面図であり、図８は展開時の側面図であり、図９は展開時の棚板３の状態を示す側面図である。
【００３２】
（６）そして、更に、図６に示すように、前記棚板の自由端側に前記壁面と平行な手摺部１１が設けられている。手摺部１１は、前記棚板３の自由端側の上面に前記壁面１と平行な溝部、または、前記棚板３の自由端側に前記壁面１と平行な長孔として設けることができる。
この構造により、棚板３の自由端側に手摺部１１を設けることで、歩行困難者が棚板３を手摺として使用できる。
【００３３】
図５に示す例では、前記側板５ａ，５ｂが前記側縁部９に蝶番４で蝶着され、前記棚板３の下端部が背面板７に蝶番１４で蝶着されている。そして、前記側板５ａ，５ｂの自由端を壁面１と垂直になるように移動し、その後、前記棚板３の自由端が下方へ移動した際に、前記棚板３の自由端の下部に設けられた凹部３ａに前記側板５に取り付けられたフック１２の先端部が挿入され、着脱可能に結合される（図７、図９参照）。また、背面板７の壁面１への固定は、外部から見えにくいように釘やねじ等の固定部材１９で行う。具体的には、折りたたみ式壁面収納部が展開された際に、棚板３の一端部の側面３ｂが固定部材１９を覆うように壁面１に固定部材１９で固定するのが望ましい（図９参照）。 
【００３４】
３．折りたたみされた状態の各部の具体的な構造
図１０は壁面に設置された折りたたみ式壁面収納部の折りたたみされた状態の各部の具体的な構造を示す側面図である。なお、図１０は図５のＡ部分を拡大した図である。
【００３５】
前記棚板３の自由端側の上面には、固定された金属プレート１３が設けれらている。そして、前記棚板３の自由端を上方に回動して折りたたんだ状態で、前記棚板３に固定された金属プレート１３と対応した位置に、ネオジウム磁石などの磁石１７が背面板７に埋め込まれている。そして、棚板３の自由端を上方に回動し折りたたんだ際に、金属プレート１３と対応して位置する磁石１７とで、前記棚板３が背面板７に固定される。
【００３６】
前記側板５ａの内側には、前記側板５ａの上部に固定された金属プレート１３が設けれらている。また、背面板７の上部には上縁部１５が設けられ、上縁部１５にはネオジウム磁石などの磁石１７が埋め込まれている。そして、棚板３の自由端を上方に回動し折りたたんだ後、前記側板５ａを前記棚板３の方向に折りたたんだ際に、金属プレート１３と対
応して位置する磁石１７とで、側板５ａが上縁部１５に固定される。なお、側板５ｂの上部も側板５ａの上部と同様の方法により固定される。
【００３７】
また、背面板７の下部には下縁部１６が設けられ、下縁部１６には磁石１７が埋め込まれている。そして、前記側板５ｂを前記棚板３の方向に折りたたんだ際に、金属プレート１３の位置と対応して位置する磁石１７とで、側板５ｂが下縁部１６に固定される。 
【００３８】
４．折りたたみ式壁面収納部の展開例１
図１１から図１３を参照して、壁面１に設置された折りたたみ式壁面収納部１００ａの折りたたみされた状態および展開された状態を説明する。
【００３９】
図１１は、前記側板５ａ，５ｂの上下２つに分割されている折りたたみ式壁面収納部において、上下方向に配置された複数の前記棚板３および左右方向に配置された複数の前記両側板５ａ，５ｂを折りたたんだ際に、前記棚板３および前記両側板５ａ，５ｂが前記壁面１に平行に当接または近接している状態を示す。これにより、折りたたみ式壁面収納部１００ａを折りたたむことにより廊下幅を広くできるため、大型の車椅子の使用者でも使いやすい廊下幅等の移動経路を確保できる。
【００４０】
また、図１２は、壁面に設置された折りたたみ式壁面収納部１００ａの下部を展開した状態において、前記棚板３の自由端側に前記壁面１と平行な手摺部１１が設けられている。これにより、歩行困難者が棚板３を手摺として使用できるように展開した例である。
【００４１】
また、図１３は、壁面に設置された折りたたみ式壁面収納部１００ａの上部および下部を展開した状態である、これにより、健常者のみが居住する場合に不必要に広いと感じると思われる廊下幅を収納スペースとして有効に利用することができる。 
【００４２】
５．折りたたみ式壁面収納部の展開例２
図１４（ａ）〜（ｄ）は、折りたたみ式壁面収納部１００ａの左側の一部を展開した例を示す。例えば、図１４（ａ）〜図１４（ｄ）に示すレイアウト（右側２列分の折りたたみ式壁面収納部を折りたたんだ状態）を使用すると、トイレスペース５０へ車椅子に乗ったまま出入りすることができる通路幅が確保可能となる。図１４（ａ）〜図１４（ｄ）に示すレイアウトにおいて、さらに、右側３列分の折りたたみ式壁面収納部を折りたたんだ状態にすると、洗面スペース６０へ車椅子に乗ったまま出入りすることができる通路幅が確保可能となる。
【００４３】
なお、図１２においては、下部のすべてを展開した状態を示した。しかし、これに限らず、図１４において、左側４列の下部だけを展開するようにしてもよい。このように、使用者の要望に応じて収納箇所を増減し、多彩なレイアウトにすることができる。 
【００４４】
６．折りたたみ式壁面収納部を埋め込んだ例
図１５（ａ）〜（ｄ）は壁面に折りたたみ式壁面収納部一部が埋め込まれた例を示す。
【００４５】
図１５（ａ）〜（ｄ）に示すように折りたたみ式壁面収納部を設けることにより、前記両側板５ａ，５ｂが前記棚板３を覆っている際に露出している他の壁面１ａと、前記側板５とが略同一面となるようにすることができる。即ち、前記露出している他の壁面１ａに対して、前記棚板３が回動可能に設けられた壁面１が凹んでいるようにしてもよい。これにより、壁面１が凹んでいない場合に比べてより広い通路幅を確保することができる。
【００４６】
以上説明したように、前記棚板３および前記両側板５を折りたたんだ状態で、大型の車椅子の使用者でも使いやすい廊下幅等の移動経路を確保可能にすることができ、その一方
で、健常者のみが居住する場合に不必要に広いと感じると思われる廊下幅の一部を収納スペースとして有効に利用することができる壁面に設置された折りたたみ式壁面収納部有する住宅の通路構造を提供することができる。
【符号の説明】
【００４７】
１     壁面
１ａ   他の壁面
３     棚板
３ａ   棚板の凹部
３ｂ   棚板の一端部の側面
４，１４      蝶番
５     側板
７     背面板
９     側縁部
１１   手摺部
１２   フック
１３   金属プレート
１５   上縁部
１６   下縁部
１７   磁石
８０ａ，８０ｂ       通路構造
１００，１００ａ，１００ｂ，１００ｃ，１００ｄ   折りたたみ式壁面収納部
【図１】
0005498368.tif 000002
【図２】
0005498368.tif 000003
【図３】
0005498368.tif 000004
【図４】
0005498368.tif 000005
【図５】
0005498368.tif 000006
【図６】
0005498368.tif 000007
【図７】
0005498368.tif 000008
【図８】
0005498368.tif 000009
【図９】
0005498368.tif 000010
【図１０】
0005498368.tif 000011
【図１１】
0005498368.tif 000012
【図１２】
0005498368.tif 000013
【図１３】
0005498368.tif 000014
【図１４】
0005498368.tif 000015
【図１５】
0005498368.tif 000016